(57)【要約】【課題】外部からの振動に対してディスプレイ部を回動可能に制御することで薄型ディスプレイ装置の転倒防止を実現すること。【解決手段】ディスプレイ部１００とこれを支持するスタンド部１０１を有する薄型ディスプレイ装置であって、スタンド部の下部にはディスプレイ部を左右方向に回転角度を変更する第１の可動部１０２を設け、スタンド部の上部にはディスプレイ部を上下方向に回転角度を変更する第２の可動部１０３を設け、ディスプレイ部には振動による変位状態を検出する変位検出部１０４を設け、変位検出部から検出された変位情報に基づいて第１の可動部と第２の可動部を制御するための情報を生成する制御部を有し、制御部は、変位情報を基にディスプレイ部の変位方向、変位量、及び変位速度を算出し、算出された値に基づいて第１の可動部および第２の可動部を制御することで、ディスプレイ部の振動振幅を低減する。【選択図】図２
2007121901.tif 000002
【特許請求の範囲】
【請求項１】
ディスプレイ部と前記ディスプレイ部を支持するスタンド部を有する薄型ディスプレイ装置であって、
前記スタンド部の下部には前記ディスプレイ部を左右方向に回転角度を変更する第１の可動部を設け、
前記スタンド部の上部には前記ディスプレイ部を上下方向に回転角度を変更する第２の可動部を設け、
前記ディスプレイ部には前記ディスプレイ部の振動による変位状態を検出する変位検出部を設け、
前記変位検出部から検出された変位情報に基づいて前記第１の可動部と前記第２の可動部を制御するための情報を生成する制御部を有し、
前記制御部は、前記変位情報を基に前記ディスプレイ部の変位方向、変位量、及び変位速度を算出し、前記算出された値に基づいて前記第１の可動部および前記第２の可動部を制御することで、前記ディスプレイ部の振動振幅を低減する
ことを特徴とする薄型ディスプレイ装置。
【請求項２】
請求項１において、
前記制御部は、前記ディスプレイ部への振動による変位方向を算出し、前記変位方向に対して前記ディスプレイ部の表面が垂直となるように前記第１の可動部を制御し、
さらに、前記垂直となった状態で前記振動による変位量と変位速度を算出し、前記算出された変位量と変位速度に基づいて前記第２の可動部を制御する
ことを特徴とする薄型ディスプレイ装置。
【請求項３】
ディスプレイ部と前記ディスプレイ部を支持するスタンド部を有する薄型ディスプレイ装置であって、
前記スタンド部には前記ディスプレイ部を左右方向に回転角度を変更する可動部を設け、
前記ディスプレイ部には前記ディスプレイ部の振動による変位状態を検出する変位検出部を設け、
前記変位検出部から検出された変位情報に基づいて前記可動部を制御するための情報を生成する制御部を有し、
前記制御部は、前記変位情報を基に前記ディスプレイ部の変位方向を算出し、前記算出された変位方向に対して前記ディスプレイ部の表面が平行となるように前記可動部を制御することで、前記ディスプレイ部の振動振幅を低減する
ことを特徴とする薄型ディスプレイ装置。
【請求項４】
ディスプレイ部と前記ディスプレイ部を支持するスタンド部を有する薄型ディスプレイ装置であって、
前記スタンド部の下部には前記ディスプレイ部を左右方向に回転角度を変更する第１の可動部を設け、
前記スタンド部の上部には前記ディスプレイ部を上下方向に回転角度を変更する第２の可動部を設け、
前記ディスプレイ部には前記ディスプレイ部の振動による変位状態を検出する変位検出部を設け、
前記変位検出部から検出された変位情報に基づいて前記第１の可動部と前記第２の可動部を制御するための情報を生成する制御部を有し、
前記制御部は、前記変位情報を基に前記ディスプレイ部の変位方向、変位量、及び変位速度を算出し、前記算出された値に基づいて前記第１の可動部と前記第２の可動部を制御し、この際、前記振動の変位方向が前記ディスプレイ部の表面に対して垂直又は垂直に近い方向であるか平行又は平行に近い方向であるかによって、前記第１の可動部および第２の可動部を制御するか前記第１の可動部のみを制御するかを選定し、前記ディスプレイ部の振動振幅を低減する
ことを特徴とする薄型ディスプレイ装置。
【発明の詳細な説明】
【技術分野】
【０００１】
本発明は、液晶ディスプレイテレビやプラズマディスプレイテレビなどの薄型ディスプレイを有する薄型ディスプレイ装置に係り、特に、転倒防止機能付きの薄型ディスプレイ装置に関する。
【背景技術】
【０００２】
近年、液晶ディスプレイテレビやプラズマディスプレイテレビなどの薄型ディスプレイテレビが普及してきており、更に、ディスプレイパネル製造技術の進歩に伴い大画面化が可能となり、薄型ディスプレイテレビの大画面化が繰り広げられている。また、薄型ディスプレイテレビは、ディスプレイ部を保持するスタンドもディスプレイ部と同様、スリム化、インテリアデザインを考慮したものとなっており、一般に、ディスプレイ表面方向及び背面方向に転倒しやすい構造になっているが、大画面化に伴い、地震などの揺れによる転倒の危険性が更に強まっている。
【０００３】
薄型ディスプレイテレビの転倒防止策として、薄型ディスプレイテレビメーカー各社は、テレビ設置台に固定するためのネジ穴、テレビ背面の壁と紐・ロープで接続するためのフックなどをディスプレイ部本体背面やスタンドに用意しており、これらを利用して、テレビ設置台にネジ止め、壁面との間に紐・ロープを接続するなどの処置を施すことで転倒防止を実現している。
【０００４】
薄型ディスプレイテレビの転倒防止策に関する従来技術について、図１１及び図１２を参照しながら説明する。図１１は従来技術に関する薄型ディスプレイ装置における壁面との固定用フック接続による転倒防止の説明図であり、図１２は従来技術に関する薄型ディスプレイ装置における設置台との固定用ネジ接続による転倒防止の説明図である。
【０００５】
すなわち、図１１は、壁や柱に薄型ディスプレイテレビを固定する例を示したものであって薄型ディスプレイテレビの平面・背面図であり、図１１に示すように、ディスプレイ部背面にはクランプ取り付け穴が用意され、付属のクランプをネジでディスプレイ部背面に取り付け、壁面との間でフック、紐を使用して、ディスプレイ正面方向への転倒を防止するようにしている。
【０００６】
また、図１２は、テレビ設置台に薄型ディスプレイテレビを固定する例を示したものであって設置台と薄型ディスプレイテレビの背面図であり、図１２に示すように、スタンド底面に付属の固定バンドをネジで取り付け、スタンド付きの薄型テレビを設置台上に位置決めし、市販のネジで固定バンドの穴にネジを取り付けて設置台上に固定して、薄型テレビの転倒を防止するようにしている。
【発明の開示】
【発明が解決しようとする課題】
【０００７】
しかしながら、従来技術に示すようなネジや紐・ロープなどで補強を行う方法は、設置台、壁面がネジを使用できない材質の場合、転倒防止の機能を果たすことができない。また、一度ネジを使用して設置台、壁面と接続すると、薄型ディスプレイテレビは、そのコンパクトな形状から設置場所に自由度があるので、設置場所の移動を行った場合、設置台や壁面にネジ跡を残すという課題が生じる。
【０００８】
本発明は、このような課題を解消し、薄型ディスプレイ装置の転倒防止を実現する薄型ディスプレイ装置を提供することを目的とする。
【課題を解決するための手段】
【０００９】
前記課題を解決するために、本発明は主として次のような構成を採用する。  
ディスプレイ部と前記ディスプレイ部を支持するスタンド部を有する薄型ディスプレイ装置であって、
前記スタンド部の下部には前記ディスプレイ部を左右方向に回転角度を変更する第１の可動部を設け、
前記スタンド部の上部には前記ディスプレイ部を上下方向に回転角度を変更する第２の可動部を設け、
前記ディスプレイ部には前記ディスプレイ部の振動による変位状態を検出する変位検出部を設け、
前記変位検出部から検出された変位情報に基づいて前記第１の可動部と前記第２の可動部を制御するための情報を生成する制御部を有し、
前記制御部は、前記変位情報を基に前記ディスプレイ部の変位方向、変位量、及び変位速度を算出し、前記算出された値に基づいて前記第１の可動部および前記第２の可動部を制御することで、前記ディスプレイ部の振動振幅を低減する構成とする。
【００１０】
また、前記薄型ディスプレイ装置において、前記制御部は、前記ディスプレイ部への振動による変位方向を算出し、前記変位方向に対して前記ディスプレイ部の表面が垂直となるように前記第１の可動部を制御し、さらに、前記垂直となった状態で前記振動による変位量と変位速度を算出し、前記算出された変位量と変位速度に基づいて前記第２の可動部を制御する構成とする。
【００１１】
また、ディスプレイ部と前記ディスプレイ部を支持するスタンド部を有する薄型ディスプレイ装置であって、
前記スタンド部には前記ディスプレイ部を左右方向に回転角度を変更する可動部を設け、
前記ディスプレイ部には前記ディスプレイ部の振動による変位状態を検出する変位検出部を設け、
前記変位検出部から検出された変位情報に基づいて前記可動部を制御するための情報を生成する制御部を有し、
前記制御部は、前記変位情報を基に前記ディスプレイ部の変位方向を算出し、前記算出された変位方向に対して前記ディスプレイ部の表面が平行となるように前記可動部を制御することで、前記ディスプレイ部の振動振幅を低減する構成とする。
【発明の効果】
【００１２】
本発明によると、ディスプレイ部とスタンド部からなる薄型ディスプレイ装置では、当該装置に印加される振動方向がディスプレイ正面に垂直に向かう方向となるようにスタンド部の左右方向への可動部を回転制御し、このときさらに、ディスプレイ本体の前後への振動振幅が最小となるように、スタンド部の仰角方向への可動部を回転制御することで、薄型ディスプレイ装置のディスプレイ表面の前後への振動を打ち消すことができ、転倒防止を実現することができる。
【００１３】
また、振動方向ディスプレイ部表面と平行又はこれに近い場合には、左右方向への可動部のみを制御することで転倒を防止することができる。
【発明を実施するための最良の形態】
【００１４】
本発明の実施形態に係る薄型ディスプレイ装置について、図１〜図１０を参照しながら以下詳細に説明する。図１は本発明の実施形態に係る薄型ディスプレイ装置の正面図である。図２は本実施形態に係る薄型ディスプレイ装置の側面図である。図３は本実施形態に係る薄型ディスプレイ装置の平面図である。図４は本発明の実施形態に係る薄型ディスプレイ装置における転倒防止の制御システムを示すブロック図である。
【００１５】
また、図５は本実施形態に係る薄型ディスプレイ装置における基準位置１と可動部１の回転制御範囲を説明する図である。図６は本実施形態に係る薄型ディスプレイ装置に加わる振動方向２に対する回転制御を説明する図である。図７は本実施形態に係る薄型ディスプレイ装置に加わる振動方向１に対する回転制御を説明する図である。図８は本実施形態に係る薄型ディスプレイ装置における基準位置２を説明する図である。図９は本実施形態に係る薄型ディスプレイ装置に加わる振動方向３に対する可動部２の回転制御を説明する図である。図１０は本実施形態に係る薄型ディスプレイ装置に加わる振動方向４に対する可動部２の回転制御を説明する図である。
【００１６】
図１、図２及び図３において、本発明の実施形態に係る薄型ディスプレイ装置は、ディスプレイ部（１００）とスタンド部（１０１）とからなり、スタンド部（１０１）は、台座（１０５）、支柱（１０６）、可動部１（１０２）、可動部２（１０３）からなり、可動部２（１０３）とディスプレイ部（１００）が接続されている。
【００１７】
可動部１（１０２）は、台座（１０５）と支柱（１０６）との接続部にあり、ディスプレイ部（１００）正面から見て左右方向に回転（図３に示す回転方向（１０９））する構造で、モーターにより回転可能な構成である。可動部２（１０３）は、ディスプレイ部（１００）と支柱（１０６）の接続部にあり、ディスプレイ部（１００）正面から見て上下（仰角）方向に回転（図２に示す回転方向（１１０））する構造で、モーターにより回転可能な構成である。変位検出部（１０４）は、薄型ディスプレイ装置の振動による変位を検出可能なセンサーで、その変位情報を電気信号として出力するものであり、ディスプレイ部（１００）背面の上部に、内蔵しても背面部に取り付けてもよい。この取り付け位置は、上部に限らず中央部でも良い（検出感度や取り付けスペース等を勘案して）。
【００１８】
図４は、本発明の実施形態に係る薄型ディスプレイ装置の転倒防止のための制御システムを示すブロック図である。この制御システムは、前述の変位検出部（４００）、変位方向検出部（４０１）、変位速度検出部（４０２）、制御量算出部（４０３）、前述の可動部１（４０４）の駆動部（４０６）、可動部１のモーター（４０７）、前述の可動部２（４０５）の駆動部（４０８）、可動部２のモーター（４０９）から構成される。
【００１９】
変位方向検出部（４０１）、変位速度検出部（４０２）、制御量算出部（４０３）は、ハードウエアあるいはマイコン上ソフトウエアにて構成、処理され、変位検出部（４００）から出力される電気信号の変位検出情報（４１０）を基に、変位方向検出部（４０１）では、ディスプレイ部（１００）上部の水平面上の変位方向と変位量を認識し、変位速度検出部（４０２）では、ディスプレイ（１００）上部の変位速度を認識する。
【００２０】
制御量算出部（４０３）は、変位方向・変位量情報（４１１）を基に、前述の可動部１（４０４）にて左右方向への回転角度を制御するための駆動情報（４１３）を生成し、ディスプレイ部に加わる振動方向がディスプレイ正面と垂直となるように制御する。また、制御量算出部（４０３）は、変位速度情報（４１２）を基に、前述の可動部２（４０５）にて仰角方向への回転を制御するための駆動情報（４１４）を生成し、ディスプレイ上部の振動が最小となるようモーター（４０９）の回転方向、回転速度を制御する。なお、駆動情報（４１３）と（４１４）を用いて可動部１（４０４）と可動部２（４０５）をどのように制御するかについては後述する。
【００２１】
次に、本実施形態に係る薄型ディスプレイ装置における振動方向と可動部１（１０２）及び可動部２（１０３）の回転制御について、図５〜図１０を参照しながら詳細に説明する。
【００２２】
図５は、本発明の実施形態に係る薄型ディスプレイ装置の平面図で、ディスプレイ部（１００）、スタンド部（１０１）がそれぞれ正面を向いている位置関係（以下、基準位置１（１１１）と表現する）、可動部１（１０２）の回転制御範囲を示す。制御範囲１（１１２）は、薄型ディスプレイ装置に加わる振動がディスプレイ部（１００）表面と垂直方向となるように可動部１（１０２）を制御する範囲を示す。制御範囲２（１１３）は、振動がディスプレイ部（１００）表面と平行方向となるように可動部１（１０２）を制御する範囲を示す。
【００２３】
本実施形態では、図６で示すように、可動部１（１０２）の回転中心に対し制御範囲１（１１２）の角度範囲内の方向の振動が発生した場合（例えば、振動方向２（１０８））、変位検出部（１０４）から検出された変位検出情報を基にその変位方向を検出し、ディスプレイ部（１００）表面が振動方向（例えば、振動方向２（１０８））と垂直となるように、可動部１（１０２）を回転制御方向１（１１４）のとおり回転制御させる。なお、詳細は後述するが、本実施形態は、この回転制御方向１（１１４）の回転制御を実施した上で、図９と図１０に示す仰角方向の回転制御を行うことが特徴の１つである。
【００２４】
また、図７で示すように、可動部１（１０２）の回転中心に対し制御範囲２（１１３）の角度範囲内の方向の振動が発生した場合（例えば、振動方向１（１０７））、ディスプレイ部（１００）とスタンド部（１０１）が、基準位置１（１１１）となるように可動部１（１０２）を回転制御させる。薄型ディスプレイ装置は、一般的にディスプレイ部（１００）表面と平行方向への振動には安定性が比較的良い構造であることから（特に、ディスプレイ部の薄型構造に因る）、ディスプレイ部（１００）表面に対し平行に近い振動方向の範囲である制御範囲２（１１３）では、前述の制御を行うこととしている。もちろん、制御範囲２（１１３）で示す振動方向でも、制御範囲１（１１２）で示した処理を行うことも可能である。なお、図７に示す基準位置１方向への回転制御を実施した場合には、図９と図１０に示す振動方向３と振動方向４への振動は生じ得ないので、仰角方向の回転制御を併用することは原則的に行わない。
【００２５】
図８は、本発明の実施形態に係る薄型ディスプレイ装置の側面図で、ディスプレイ部（１００）表面及びスタンド部（１０１）と設置面とが垂直の位置関係にある（以下、基準位置２（１１５）と表現する）状態を示す。
【００２６】
図６で示された可動部１（１０２）の制御範囲１（１１２）において回転制御が可動部１（１０２）によりなされた後、振動方向はディスプレイ（１００）表面と垂直な関係になる。図９に示すようなディスプレイ部（１００）正面方向への振動（振動方向３（１１６））の局面では、変位検出部（１０４）より得られた情報を基に変位速度、変位量を検出し、ディスプレイ部（１００）の変位検出部（１０４）取り付け部位が基準位置２（１１５）に戻るように、制御量算出部で制御量を演算し可動部２（１０３）を回転制御方向２（１１８）へ回転制御する。換言すると、検出された変位速度に基づいて可動部２の回動速度が制御され、検出された変位量に基づいて可動部２の回動量が制御されるのである。
【００２７】
また、図１０に示すようなディスプレイ部（１００）正面方向と反対方向への振動（振動方向４（１１７））の局面では、変位検出部（１０４）より得られた情報を基に変位速度、変位量を検出し、ディスプレイ部（１００）の変位検出部（１０４）取り付け部位が基準位置２（１１５）に戻るように、制御量算出部で制御量を演算し可動部２（１０３）を回転制御方向３（１１９）へ回転制御する。以上の動作により、振動を打ち消す方向に可動部２（１０３）を制御することで、薄型ディスプレイ装置の振動を低減することができ、転倒防止を可能とする。
【００２８】
さらに、前述の図７で示された可動部１（１０２）の回転中心に対し制御範囲２（１１３）の角度内の方向の振動が発生した場合は、薄型ディスプレイ装置のディスプレイ部（１００）表面と平行方向への安定性は良い傾向があることから、ディスプレイ部（１００）表面とスタンド部（１０１）とを可動部１で基準位置１（１１１）に回転制御するのみとし、可動部２（１０３）の回転制御は行わない。もちろん、この制御範囲２（１１３）の角度内の方向の振動が発生した場合でも、制御範囲１（１１２）の場合と同様の処理を行うことも可能である。
【００２９】
以上のように、本発明の実施形態は次のような構成と機能を奏するものを特徴の１つとしている。すなわち、ディスプレイ部とディスプレイ部を支持するスタンド部を有する薄型ディスプレイ装置は、スタンド部の下部にはディスプレイ部を左右方向に回転角度を変更する第１の可動部を設けるとともに、スタンド部の上部にはディスプレイ部を上下方向に回転角度を変更する第２の可動部を設け、さらに、ディスプレイ部にはディスプレイ部の振動による変位状態を検出する変位検出部を設け、変位検出部から検出された変位情報に基づいて第１の可動部と第２の可動部を制御するための情報を生成する制御部を有し、
制御部は、変位情報を基にディスプレイ部の変位方向、変位量、及び変位速度を算出し、算出された値に基づいて第１の可動部と第２の可動部を制御するものであって、この際、算出された振動の変位方向がディスプレイ部の表面に対して垂直又は垂直に近い方向であるか（図５に示す制御範囲１に対応する方向）、平行又は平行に近い方向であるか（図５に示す制御範囲２に対応する方向）によって、第１の可動部および第２の可動部を制御するか（第１の可動部１による左右方向の制御によって振動方向２に対してディスプレイ部表面を垂直にし、この垂直状態で第２の可動部２による上下方向の制御を実施）、第１の可動部のみを制御するか（第１の可動部１による左右方向の制御によって振動方向１に対してディスプレイ部表面を平行にする制御）を選定し、ディスプレイ部の振動振幅を低減するものである。
【図面の簡単な説明】
【００３０】
【図１】本発明の実施形態に係る薄型ディスプレイ装置の正面図である。
【図２】本実施形態に係る薄型ディスプレイ装置の側面図である。
【図３】本実施形態に係る薄型ディスプレイ装置の平面図である。
【図４】本発明の実施形態に係る薄型ディスプレイ装置における転倒防止の制御システムを示すブロック図である。
【図５】本実施形態に係る薄型ディスプレイ装置における基準位置１と可動部１の回転制御範囲を説明する図である。
【図６】本実施形態に係る薄型ディスプレイ装置に加わる振動方向２に対する回転制御を説明する図である。
【図７】本実施形態に係る薄型ディスプレイ装置に加わる振動方向１に対する回転制御を説明する図である。
【図８】本実施形態に係る薄型ディスプレイ装置における基準位置２を説明する図である。
【図９】本実施形態に係る薄型ディスプレイ装置に加わる振動方向３に対する可動部２の回転制御を説明する図である。
【図１０】本実施形態に係る薄型ディスプレイ装置に加わる振動方向４に対する可動部２の回転制御を説明する図である。
【図１１】従来技術に関する薄型ディスプレイ装置における壁面との固定用フック接続による転倒防止の説明図である。
【図１２】従来技術に関する薄型ディスプレイ装置における設置台との固定用ネジ接続による転倒防止の説明図である。
【符号の説明】
【００３１】
１００：ディスプレイ部
１０１：スタンド部
１０２：可動部１
１０３：可動部２
１０４：変位検出部
１０５：スタンド部の台座
１０６：スタンド部の支柱
１０７：振動方向１（ディスプレイ表面と平行方向）
１０８：振動方向２（ディスプレイ表面と垂直方向）
１０９：可動部１の回転方向
１１０：可動部２の回転方向
１１１：基準位置１（ディスプレイ部とスタンド部が正面方向を向いた位置関係）
１１２：制御範囲１（振動がディスプレイ表面と垂直方向となるように可動部１を制御する範囲）
１１３：制御範囲２（振動がディスプレイ表面と平行方向となるように可動部１を制御する範囲）
１１４：回転制御方向１（振動がディスプレイ表面と垂直となる可動部１の制御方向・量）
１１５：基準位置２（ディスプレイ部表面が設置面と垂直の位置関係）
１１６：振動方向３（ディスプレイ表面から裏面へ向かう方向）
１１７：振動方向４（ディスプレイ裏面から表面へ向かう方向）
１１８：回転制御方向２（ディスプレイ表面が基準位置に戻る可動部２の制御方向）
１１９：回転制御方向３（ディスプレイ表面が基準位置に戻る可動部２の制御方向）
【図１】
2007121901.tif 000003
【図２】
2007121901.tif 000004
【図３】
2007121901.tif 000005
【図４】
2007121901.tif 000006
【図５】
2007121901.tif 000007
【図６】
2007121901.tif 000008
【図７】
2007121901.tif 000009
【図８】
2007121901.tif 000010
【図９】
2007121901.tif 000011
【図１０】
2007121901.tif 000012
【図１１】
2007121901.tif 000013
【図１２】
2007121901.tif 000014